(57)【要約】【課題】  設備データのメンテナンスを極力少なくしてメンテナンスの業務効率を上げることのできる電力系統監視装置を提供する。【解決手段】  各変電所１，各電気所４に設置する設備に対応して設備データ保存装置８，１０を設け、設備データ保存装置８，１０と接続された設備データサーバ２，設備データサーバ９を各変電所１，電気所４内に設け、設備データサーバ２，設備データサーバ９とネットワーク６を介して中央給電指令所５，制御所７に設けられた設備データ収集サーバ１１，１３と接続した。【選択図】図１
2005110383.tif 000002
【特許請求の範囲】
【請求項１】
変電所あるいは電気所に設置される各設備に対応して設けられ、ユニークなアドレスを有し設備種別毎に統一されたデータ構造の設備データを記録する設備データ保存装置と、該設備データ保存装置に接続された変電所あるいは電気所内の設備データサーバと、該設備データサーバとネットワークを介して接続された中央給電指令所あるいは制御所に設けられた設備データ収集サーバと、該設備データ収集サーバと接続された電力系統監視制御装置を備えた電力系統監視装置。
【請求項２】
変電所あるいは電気所に設置される各設備に対応して設けられ、ユニークなアドレスを有し設備種別毎に統一されたデータ構造の設備データを記録する設備データ保存装置と、該設備データ保存装置に接続された変電所あるいは電気所内の設備データサーバとを備え、設備データの取得要求があった場合は、前記設備データサーバは、設備データを取得要求先のアドレスを有した設備データ保存装置にアクセスして設備データを受信し、設備データ取得元へ前記設備データを送信する電力系統監視装置。
【請求項３】
設備の追加，変更を行う場合に、前記電力系統監視制御装置により変更する設備に対応した設備データ保存装置のアドレスを指定して変更するデータ及び変更指令を前記設備データ収集サーバ，設備データサーバを介して前記アドレスを有する設備データ保存装置に送信して変更を行い、設備を追加する時にその設備に対応した設備データ保存装置にデータを記録し、この設備データ保存装置のアドレス、名称を前記電力系統監視制御装置により追加して設備の追加を行う請求項１に記載の電力系統監視装置。
【請求項４】
前記設備データ保存装置が、複数の計測装置からの信号を入力する外部ポートと、該外部ポートに接続されたプロセッサと、該プロセッサに接続された汎用データベース及びネットワークポートを有する請求項１又は２に記載の電力系統監視装置。
【請求項５】
前記設備データ収集サーバにレプリケーションが接続され、設備データ収集サーバが設備の追加でないと判断した場合は、前記設備データサーバから前記レプリケーションに設備データを配信して登録する請求項１に記載の電力系統監視装置。
【請求項６】
前記設備データサーバに接続構成データベースが接続され、前記電力系統監視制御装置からの取得要求により、前記設備データ収集サーバを介して前記設備データサーバにアクセスして前記接続構成データベースから接続構成データを取得する請求項１に記載の電力系統監視装置。
【発明の詳細な説明】
【技術分野】
【０００１】
本発明は、電力系統設備の追加，変更，削除に伴う電力設備の諸元データのメンテナンス作業を少なくした電力系統監視装置に関する。
【背景技術】
【０００２】
従来の技術としては、〔特許文献１〕に記載のように、被監視機器Ｕに配設されたセンサからの機器状態量をサンプリングしてデータ変換手段により機器状態量データに変換し、このデータを送信すると共に参照データに保存ファイルに保存する機器監視ユニットと、複数の機器監視ユニットと機器監視サーバが電気所内の監視用シリアル伝送路に接続され、ルータ、広域ネットワークを介してデータ表示装置と接続されるようにした機器監視システムがある。
【０００３】
【特許文献１】特開２００２−３５２３６８号公報
【発明の開示】
【発明が解決しようとする課題】
【０００４】
〔特許文献１〕に記載の従来の技術は、機器監視データサーバにより電気所全体の被監視機器の機器状態データを一括して確認することができ、さらに個別の機器の詳細情報についても、監視データサーバにより確認することができるものであるが、電力系統設備の追加，削除に伴う電力設備の諸元データ（以下、設備データという）メンテナンスには配慮がされていない。この設備データのメンテナンスは、中央給電指令所，制御所，変電所，発電所，開閉所など（以下、これらを総称して電気所という）の機器データを必要とする電力系統監視制御装置で実施されるが、作業量は膨大なものであった。
【０００５】
本発明の目的は、設備データのメンテナンスを極力少なくしてメンテナンスの業務効率を上げることのできる電力系統監視装置を提供することにある。
【課題を解決するための手段】
【０００６】
上記目的を達成するために、本発明は、変電所あるいは電気所に設置される各設備に対応して設けられ、ユニークなアドレスを有し設備種別毎に統一されたデータ構造の設備データを記録する設備データ保存装置に接続された変電所あるいは電気所内の設備データサーバと、該設備データサーバとネットワークを介して接続された中央給電指令所あるいは制御所に設けられた設備データ収集サーバと、該設備データ収集サーバと接続された電力系統監視制御装置を備えたものである。
【０００７】
又、変電所あるいは電気所に設置される各設備に対応して設けられ、ユニークなアドレスを有し設備種別毎に統一されたデータ構造の設備データを記録する設備データ保存装置に接続された変電所あるいは電気所内の設備データサーバとを備え、設備データの取得要求があった場合は、前記設備データサーバは、設備データを取得要求先のアドレスを有した設備データ保存装置にアクセスして設備データを受信し、設備データ取得元へ前記設備データを送信するものである。
【発明の効果】
【０００８】
本発明によれば、各電力系統の設備に対応して設置した設備データ保存装置のメンテナンスを実施すればよくなり、設備データのメンテナンスを電気所単位で行えるので、メンテナンスの業務効率を上げることができる。
【発明を実施するための最良の形態】
【０００９】
本発明の一実施例を図１から図４により説明する。図１は、電力系統監視システムの構成図、図２は設備データ保存装置の構成図である。
【００１０】
本実施例の電力系統監視システムは、図１に示すように、相互に送電線１５，１６で接続される変電所１と電気所４，変電所１及び電気所４とネットワーク６を介して接続される中央給電指令所５及び制御所７で構成されている。
【００１１】
変電所１内には、設備として送電線１５に接続される遮断器２０，送電線１６に接続される遮断器２１，遮断器２０，２１と接続される母線１７，母線１７に接続される変圧器１８，変圧器１８に接続される母線１９，母線１９に接続される遮断器２２，２３が設置されている。送電線１５，１６，遮断器２０，２１，２２，２３，変圧器１８，母線１７，１９にはそれぞれ設備データ保存装置８が設けられ、各設備データ保存装置８は電気所内ネットワーク３を介して設備データサーバ２に接続されている。電気所４にも設置された機器に対応して設備データ保存装置１０が設けられ、各々の設備データ保存装置１０が設備データサーバ９に接続されている。
【００１２】
設備データサーバ２，設備データサーバ９は、それぞれネットワーク６を介して中央給電指令所５の設備データ収集サーバ１１，制御所７の設備データ収集サーバ１３と接続されている。設備データ収集サーバ１１は電力系統監視制御装置１２と接続され、設備データ収集サーバ１３は電力系統監視制御装置１４と接続されている。
【００１３】
設備データ保存装置８，１０は、図２に示すように、複数の計測装置３０からの信号を入力する外部ポート３１，外部ポート３１に接続されたプロセッサ３３，プロセッサ３３に接続された汎用データベース３２及びネットワークポート３４で構成される。
【００１４】
プロセッサ３３は、設備データサーバ２，設備データサーバ９からの設備データの送信要求，設備の追加，変更，削除の指令により設備の追加，変更，削除の処理を行う。汎用データベース３２は、設備データや計測データを記録する。ネットワークポート３４には、汎用のプロトコル，汎用のネットワークポートを有するものが用いられる。
【００１５】
設備データは、設備種別，設備名称，特定の電気所を表すユニークなアドレス，数値データ，文字データで構成され、例えば変圧器，送電線，遮断器といった設備種別毎に統一されたデータ構造となっている。
【００１６】
設備データサーバ２は、設備データ保存装置８を参照するためのアドレス，設備名称を有しており、設備データサーバ９は、設備データ保存装置１０を参照するためのアドレス，設備名称を有している。
【００１７】
図１，図３に示すように、ステップ５０で制御や計算のために、中央給電指令所５の電力系統監視制御装置１２からの設備データの取得要求があれば、ステップ５１で設備データ収集サーバ１１に取得要求先の電気所のアドレスの有無をチェックする。アドレスがある場合は、ステップ５２で設備データ収集サーバ１１から取得要求先の設備データサーバ２に矢印２６で示すように設備データを要求する。アドレスがない場合は、ステップ５６でエラーメッセージを返信する。
【００１８】
設備データを要求された設備データサーバ２は、ステップ５３で要求先の設備データ保存装置のアドレスの有無をチェックする。アドレスがある場合は、ステップ５４で設備データサーバ２は、矢印２４で示すように要求に合致した設備データ保存装置８にアクセスする。アドレスがない場合は、ステップ５６でエラーメッセージを返信する。設備データサーバ２は、矢印２５で示すように必要な情報を取得して、ステップ５５で矢印２７で示すように中央給電指令所５の設備データ収集サーバ１１に送信する。設備データ収集サーバ１１に送信された設備データは、電力系統監視制御装置１２に送信され、制御のための計算，表示等の処理がなされる。
【００１９】
ここで、設備の変更あるいは追加がある場合は、次のようにして設備の変更あるいは追加が行われる。設備の変更の場合は、電力系統監視制御装置１２により変更する設備（機器ともいう）の対応した設備データ保存装置８のアドレスを指定し、変更するデータ及び変更指令を付して設備データ収集サーバ１１に送信する。データを受信した設備データ収集サーバ１１は、上述したステップ５０からステップ５３と同様のフローで処理を行い、該当する設備データ保存装置８の設備データを変更し、設備データサーバ２内の汎用データベース３２を変更する。
【００２０】
設備の追加がある場合は、設備を追加して設置する時に、その設備に対応した設備データ保存装置８に設備のデータを記録し、設備データサーバ２，設備データ収集サーバ１１が設備データを取得要求するために必要なアドレス，名称を追加する。このアドレス，名称の追加は、電力系統監視制御装置１２から行う。
【００２１】
本実施例によれば、従来は中央給電指令所や制御所で実施していた設備データのメンテナンスを、各電力系統の設備に対応して設置した設備データ保存装置のメンテナンスを実施すればよくなり、設備データのメンテナンスを電気所単位で行えるので、メンテナンスの業務効率を上げることができる。又、設備データ保存装置に記録する設備データを設備種別毎に統一されたデータ構造としているので、各電気所，中央給電指令所，制御所をネットワークで接続してデータの活用が図れる。又、汎用のプロコトルで処理でき、広範囲のネットワークで接続される電力系統監視装置で情報の共有化が図れる。
【００２２】
経年劣化等で変動する設備データの補正を行える電力系統監視装置を提供することを目的とする場合は、次のように構成する。
【００２３】
図４は、設備データの補正を行う処理の説明図である。図４に示す例では、計測装置
３０により変圧器３５の１次側の電圧，変圧器を流れる電流，２次側の電圧を測定している。これらの計測値は、設備データ保存装置８の外部ポート３１から取り込まれる。これらの計測値のうち、直接測定できるものは計測値を汎用データベース３２に記録し、計算を行った結果求められるものは、プロセッサ３３で演算した結果を汎用データベース３２に記録する。例えば、変圧器のインピーダンスは、１次側の電圧，２次側の電圧，電流を演算して求めることができる。このように汎用データベースに記録されたデータを用いて経年劣化等で変化する設備データの補正を行うことができる。
【００２４】
本発明の他の実施例を図５，図６により説明する。本実施例は、ネットワークの性能が低い場合でも設備データを収集するのに好適な電力系統監視装置を提供することを目的としたもので、電気所内ネットワーク３あるいはネットワーク６の性能が十分でなく、設備データの収集に時間がかかる場合を考慮している。本実施例では、中央給電指令所５にレプリケーション２８を、制御所７にレプリケーション２９を設け、それぞれ設備データ収集サーバ１１，１３と接続している。
【００２５】
設備の追加，変更が発生すると、ステップ６０で該当する設備データ保存装置８の設備データを修正する。設備データの修正が完了すると、ステップ６１で設備データを設備データサーバ２に送信し、汎用データベース３２に記録し、設備データ収集サーバ１１に設備データを送信する。設備データを受信した設備データ収集サーバ１１は、ステップ６２で設備の追加かどうかを判断する。設備の追加と判断した場合は、ステップ６３で追加した設備データ保存装置８のアドレスと設備データとの関係を登録する。
【００２６】
設備の追加でないと判断した場合は、ステップ６４に飛び、設備データサーバ２から設備データ収集サーバに設備データを配信する。ステップ６５でレプリケーション２８に設備データを登録する。ここでは、設備データサーバ２で説明したが、設備データサーバ９についても同様である。
【００２７】
電力系統監視制御装置１２，１４で設備データを要求した場合は、設備データ収集サーバ１１は、レプリケーション２８を参照して設備データを取り込む。このように、レプリケーション２８を設けているので、通信速度の遅いネットワークで電気所と接続されている場合も、逐次取り込んだ設備データを要求時に早く取り込むことができる。又、図１に示す実施例と同様に、各電力系統の設備に対応して設置した設備データ保存装置のメンテナンスを実施すればよくなり、設備データのメンテナンスを電気所単位で行えるので、メンテナンスの業務効率を上げることができ、設備データ保存装置に記録する設備データを設備種別毎に統一されたデータ構造としているので、各電気所，中央給電指令所，制御所をネットワークで接続してデータの活用が図れる。
【００２８】
本発明の他の実施例を図７により説明する。本実施例では、図１に示す実施例と同様構成されているが、接続構成データベース４４を設けて設備データサーバ２と接続している。接続構成データベース４４は電気所内の設備の接続関係を示したデータである。図７に示すように、電力系統監視制御装置１２から電気所内の接続構成データの取得要求があるときは、矢印４３で示すように、設備データ収集サーバ１１からネットワーク６を介して設備データサーバ２にアクセスし、設備データサーバ２は接続構成データベース４４を参照して接続構成データを取得する。
【００２９】
このように、電気所内の設備の接続関係を電気所単位で管理することができ、電気所内で設備の追加，削除が発生しても接続構成データのメンテナンスは電気所単位で実施するので、作業効率が向上する。又、図１に示す実施例と同様に、各電力系統の設備に対応して設置した設備データ保存装置のメンテナンスを実施すればよくなり、設備データのメンテナンスを電気所単位で行えるので、メンテナンスの業務効率を上げることができ、設備データ保存装置に記録する設備データを設備種別毎に統一されたデータ構造としているので、各電気所，中央給電指令所，制御所をネットワークで接続してデータの活用が図れる。
【図面の簡単な説明】
【００３０】
【図１】本発明の一実施例である電力系統監視システムの構成図である。
【図２】設備データ保存装置の構成図である。
【図３】設備データを参照する時の処理の流れ図である。
【図４】設備データ保存装置の設備データの補正を説明する図である。
【図５】本発明の他の実施例である電力系統監視システムの構成図である。
【図６】設備データの追加，変更の時の処理の流れ図である。
【図７】本発明の他の実施例である電力系統監視システムの構成図である。
【符号の説明】
【００３１】
１…変電所、２，９…設備データサーバ、３…電気所内ネットワーク、４…電気所、５…中央給電指令所、６…ネットワーク、７…制御所、８，１０…設備データ保存装置、
１１，１３…設備データ収集サーバ、１２，１４…電力系統監視制御装置、１５，１６…送電線、１７，１９…母線、１８…変圧器、２０，２１，２２，２３…遮断器、３０…計測装置、３１…外部ポート、３２…汎用データベース、３３…プロセッサ、３４…ネットワークポート。
【図１】
2005110383.tif 000003
【図２】
2005110383.tif 000004
【図３】
2005110383.tif 000005
【図４】
2005110383.tif 000006
【図５】
2005110383.tif 000007
【図６】
2005110383.tif 000008
【図７】
2005110383.tif 000009